(57)【要約】【課題】ちらつき、ぎらつき、ざらつき等を低減し、より鮮明な映像を表示することができる透過型スクリーンを提供する。【解決手段】フレネルレンズ形状を有するフレネルレンズ部１１を備える透過型のスクリーン１０であり、このフレネルレンズ部１１及び／又はこれよりも出光側に拡散部を有している。この拡散部には、光拡散粒子Ｐ１１が含まれており、この光拡散粒子Ｐ１１の平均粒径を、フレネルレンズ部１１のピッチの１／５以下としている。【選択図】        図１
2005037496.tif 000002
【特許請求の範囲】
【請求項１】
フレネルレンズ形状を有するフレネルレンズ部と、
前記フレネルレンズ部より出光側に設けられ光拡散粒子を含む少なくとも１層の拡散部と、
を備え、
前記拡散部の内少なくとも１層は、前記フレネルレンズ部のピッチの１／５以下の平均粒径の光拡散粒子を含むこと、
を特徴とする透過型スクリーン。
【請求項２】
請求項１に記載の透過型スクリーンにおいて、
前記フレネルレンズ部のピッチの１／５以下の平均粒径の光拡散粒子を含む拡散部は、透過型スクリーンに設けられた拡散部の中で、最も出光側に設けられていること、
を特徴とする透過型スクリーン。
【請求項３】
請求項１又は請求項２に記載の透過型スクリーンにおいて、
前記フレネルレンズ部のピッチの１／５以下の平均粒径の光拡散粒子を含む拡散部よりも入光側であって前記フレネルレンズ部よりも出光側に、前記光拡散粒子よりも粒径が大きな第２の光拡散粒子を含む第２の拡散部を備えること、
を特徴とする透過型スクリーン。
【請求項４】
請求項１から請求項３までのいずれか１項に記載の透過型スクリーンにおいて、
前記フレネルレンズ部のピッチは、１２０μｍ以下であること、
を特徴とする透過型スクリーン。
【請求項５】
請求項１から請求項４までのいずれか１項に記載の透過型スクリーンにおいて、
前記フレネルレンズ部を出光側に有した光学シートの入光側には、水平方向に延在し垂直方向において光を制御する垂直制御レンチキュラーレンズ部又は垂直制御プリズム部を有し、
前記垂直拡散レンチキュラーレンズ部又は前記垂直拡散プリズム部のピッチは、前記光拡散粒子の平均粒径の５倍以上あること、
を特徴とする透過型スクリーン。
【請求項６】
請求項１から請求項５までのいずれか１項に記載の透過型スクリーンにおいて、
前記光拡散粒子は、屈折率の異なる複数種類の粒子を有していること、
を特徴とする透過型スクリーン。
【請求項７】
請求項１から請求項６までのいずれか１項に記載の透過型スクリーンにおいて、
前記拡散部を有した光学シートは、垂直方向に延在し水平方向において光を制御する水平制御レンチキュラーレンズ部又は水平制御プリズム部を有すること、
を特徴とする透過型スクリーン。
【請求項８】
フレネルレンズ部を備えた透過型スクリーンの前記フレネルレンズ部より出光側に設けられて使用される拡散シートであって、
前記フレネルレンズ部のピッチの１／５以下の平均粒径の光拡散粒子を含む拡散シート。
【請求項９】
請求項８に記載の拡散シートにおいて、
前記光拡散粒子の平均粒径は、２４μｍ以下であること、
を特徴とする拡散シート。
【請求項１０】
請求項８又は請求項９に記載の拡散シートにおいて、
前記光拡散粒子は、屈折率の異なる複数種類の粒子を有していること、
を特徴とする拡散シート。
【発明の詳細な説明】
【０００１】
【発明の属する技術分野】
本発明は、プロジェクションテレビ等の背面投写型プロジェクションシステムの構成部材である透過型スクリーン及び拡散シートに関するものである。
【０００２】
【従来の技術】
従来、この種の透過型スクリーンとして、視野角を広げるために光拡散粒子を混入した拡散部を有し、画面中心部と周辺部との明暗差を補正するためにフレネルレンズ部を有したものが用いられている。また、視野角をより細かく制御するために、レンチキュラーレンズ部をさらに備えている透過型スクリーンも多い（特許文献１参照）。
【０００３】
【特許文献１】
特開平１１−１３３５０８号公報
【０００４】
【発明が解決しようとする課題】
近年、投射プロジェクタの改良により、映像光の高輝度化、高精彩化によるＲ，Ｇ，Ｂ各光の色純度改善に伴う発光波長域の絞り込みが進み、投射光の可干渉性（干渉する可能性）が増す方向にある。フレネルレンズは、レンズから出射する光にピッチに応じた明暗を生じさせるため、スリットのように作用する。したがって、フレネルレンズを通過した可干渉性の高い映像光は、互いに干渉することとなり、映像光の強度の大小差が強調され、画面全体がぎらついて見えてしまったり、ざらついて見えてしまったりするという問題があった。
また、これらの投射プロジェクタが高解像度化されており、これに伴い、上記問題がさらに顕著になり、対策が求められている。
【０００５】
さらに、上述の特許文献１では、ぎらつきを低減する手法を開示しているが、透過型スクリーンの構成が非常に限定されており、透過型スクリーンの光学設計及びスクリーン保持の機構設計を自由に行うことができないという問題があった。
より具体的には、以下の問題点が挙げられる。
（１）通常のレンチキュラーレンズとフレネルレンズで構成されるスクリーンに比べ、光拡散シートが追加されることにより、光拡散シートの表裏での入射光の反射損失により８％以上の映像光を失い、画面の明るさが低下してしまうという問題点。
（２）薄いフレネルレンズシートを他の光学シートで挟み込む構成のため、吸湿や温度変化による各シートの伸び縮みの差により、フレネルレンズシートにしわが入り易く、スクリーンの保持機構に特殊な工夫が必要となるという問題点。
【０００６】
本発明の課題は、ちらつき、ぎらつき、ざらつき等を低減し、より鮮明な映像を表示することができる透過型スクリーン及び拡散シートを提供することである。
【０００７】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、フレネルレンズ形状を有するフレネルレンズ部（１１，２１，３１，４１，５１，６１，７１）と、前記フレネルレンズ部より出光側に設けられ光拡散粒子（Ｐ１１，Ｐ２１，Ｐ３１，Ｐ４１，Ｐ４２，Ｐ５１，Ｐ５２，Ｐ６１，Ｐ６２，Ｐ７１，Ｐ７２）を含む少なくとも１層の拡散部（１０，２０，３４，４４，５５，Ｌ２，７３）と、を備え、前記拡散部の内少なくとも１層は、前記フレネルレンズ部のピッチの１／５以下の平均粒径の光拡散粒子を含むこと、を特徴とする透過型スクリーンである。
【０００８】
請求項２の発明は、請求項１に記載の透過型スクリーンにおいて、前記フレネルレンズ部（１１，２１，３１，４１，５１，６１，７１）のピッチの１／５以下の平均粒径の光拡散粒子（Ｐ１１，Ｐ２１，Ｐ３１，Ｐ４１，Ｐ４２，Ｐ５１，Ｐ５２，Ｐ６１，Ｐ６２，Ｐ７１，Ｐ７２）を含む拡散部（１０，２０，３４，４４，５５，Ｌ２，７３）は、透過型スクリーンに設けられた拡散部の中で、最も出光側に設けられていること、を特徴とする透過型スクリーンである。
【０００９】
請求項３の発明は、請求項１又は請求項２に記載の透過型スクリーンにおいて、前記フレネルレンズ部のピッチの１／５以下の平均粒径の光拡散粒子を含む拡散部（７３）よりも入光側であって前記フレネルレンズ部（７１）よりも出光側に、前記光拡散粒子（Ｐ７１）よりも粒径が大きな第２の光拡散粒子（Ｐ７２）を含む第２の拡散部（７２）を備えること、を特徴とする透過型スクリーン（７０）である。
【００１０】
請求項４の発明は、請求項１から請求項３までのいずれか１項に記載の透過型スクリーンにおいて、前記フレネルレンズ部（２１，３１，４１，５１，６１，７１）のピッチは、１２０μｍ以下であること、を特徴とする透過型スクリーン（２０，３０，４０，５０，６０，７０）である。
【００１１】
請求項５の発明は、請求項１から請求項４までのいずれか１項に記載の透過型スクリーンにおいて、前記フレネルレンズ部（３１，４１，５１，６１）を出光側に有した光学シート（３３，４３，５３，６３）の入光側には、水平方向に延在し垂直方向において光を制御する垂直制御レンチキュラーレンズ部（３２，４２，５２，６２）又は垂直制御プリズム部を有し、前記垂直拡散レンチキュラーレンズ部又は前記垂直拡散プリズム部のピッチは、前記光拡散粒子（Ｐ３１，Ｐ４１，Ｐ４２，Ｐ５１，Ｐ５２，Ｐ６１，Ｐ６２）の平均粒径の５倍以上あること、を特徴とする透過型スクリーン（３０，４０，５０，６０）である。
【００１２】
請求項６の発明は、請求項１から請求項５までのいずれか１項に記載の透過型スクリーンにおいて、前記光拡散粒子は、屈折率の異なる複数種類の粒子（Ｐ４１，Ｐ４２，Ｐ５１，Ｐ５２，Ｐ６１，Ｐ６２）を有していること、を特徴とする透過型スクリーン（４０，５０，６０）である。
【００１３】
請求項７の発明は、請求項１から請求項６までのいずれか１項に記載の透過型スクリーンにおいて、前記拡散部を有した光学シート（５５，６７）は、垂直方向に延在し水平方向において光を制御する水平制御レンチキュラーレンズ部（５４，６４，６６）又は水平制御プリズム部を有すること、を特徴とする透過型スクリーン（５０，６０）である。
【００１４】
請求項８の発明は、フレネルレンズ部（３１，４１，５１，６１）を備えた透過型スクリーンの前記フレネルレンズ部より出光側に設けられて使用される拡散シート（３４，４４，５５，６７）であって、前記フレネルレンズ部のピッチの１／５以下の平均粒径の光拡散粒子（Ｐ３１，Ｐ４１，Ｐ４２，Ｐ５１，Ｐ５２，Ｐ６１，Ｐ６２）を含む拡散シートである。
【００１５】
請求項９の発明は、請求項８に記載の拡散シートにおいて、前記光拡散粒子（Ｐ３１，Ｐ４１，Ｐ４２，Ｐ５１，Ｐ５２，Ｐ６１，Ｐ６２）の平均粒径は、２４μｍ以下であること、を特徴とする拡散シート（３４，４４，５５，６７）である。
【００１６】
請求項１０の発明は、請求項８又は請求項９に記載の拡散シートにおいて、前記光拡散粒子は、屈折率の異なる複数種類の粒子（Ｐ４１，Ｐ４２，Ｐ５１，Ｐ５２，Ｐ６１，Ｐ６２）を有していること、を特徴とする拡散シート（４４，５５，６７）である。
【００１７】
【発明の実施の形態】
以下、図面等を参照しながら、本発明の実施の形態について、更に詳しく説明する。
本発明は、フレネルレンズ形状を有するフレネルレンズ部を備える透過型スクリーンであり、このフレネルレンズ部及び／又はこれよりも出光側に拡散部を有している。この拡散部には、光拡散粒子が含まれており、この光拡散粒子の平均粒径を、フレネルレンズ部のピッチの１／５以下としている点が特徴となっている。
【００１８】
ちらつき、ぎらつき、ざらつき等の問題は、フレネルレンズ部よりも観察者側にある光拡散粒子により構成される拡散部に含有される光拡散粒子により、フレネルレンズ上の任意の点から出射する光を拡散により多種の位相に変換して、位相の異なる他のピッチからの出射光と過剰に干渉させることにより回避できる。ただし、レンズピッチに対する光拡散粒子の大きさが大きい場合は、光拡散粒子を通過する回数が少なくなり、位相変化の程度が減少して、干渉による強度の不均一さが残ってしまう。しかし、光拡散粒子を通過する回数を増加させるためには、添加量を増やす必要が生じ、結果的に映像が暗くなってしまう。
【００１９】
これに対し、光拡散粒子が小さい場合には、同一の拡散性能を得るためには、拡散要素が大きい場合と比較して、光拡散粒子の添加数は多くなり、屈折、反射の回数が増加して位相の乱れが大きくなる。本発明に際し、フレネルレンズピッチと光拡散粒子の径との適当な比を実験により導き、光拡散粒子の平均粒径がフレネルレンズピッチの１／５以下の場合、映像のぎらつき等の問題が急激に低減されることが判明した。
【００２０】
ここで、光拡散粒子は、母材樹脂の屈折率に応じ、その屈折率差を考慮して選定される。例えば、アクリル樹脂微粒子、スチレン樹脂微粒子、アクリル−スチレン共重合樹脂、シリコーン樹脂等の有機系微粒子や、ガラス微粒子、硫酸バリウム微粒子、水酸化アルミニウム微粒子、炭酸カルシウム微粒子、シリカ（二酸化珪素）微粒子、酸化チタン微粒子等の無機系微粒子を挙げることができる。また、光拡散粒子の粒子形状は、真球形状、略球形状、不定形状等、各種のものが使用できるが、映像光の後方散乱量を減らすためには、真球形状又は略球形状が望ましい。
【００２１】
さらに、複数のレンズシートからなる透過型スクリーンにおいてフレネルレンズ部を持つシートを用いる場合、フレネルレンズシートの光源側に光拡散粒子を含む拡散部を設けてもよく、そこに含まれる光拡散粒子の大きさに制約はない。
以下、本発明の実施形態を、より具体的な実施例及びこれらに対する比較例を挙げて説明する。
【００２２】
（実施例１）
図１は、本発明の実施例１を示す図である。図１（ａ）は、斜視図を示し、図１（ｂ）は、縦断面を示している。なお、以下の図中では、矢印は、映像光の進む方向を示し、レンズピッチ、光拡散粒子などは、誇張して示している。
本実施例では、光拡散粒子Ｐ１１として平均粒径２７μｍ、屈折率１．５９の球状の架橋スチレンビーズを２０重量％添加したアクリル板（屈折率１．４９）に、熱プレス方式により１４５μｍピッチのフレネルレンズ部１１を入光面側に賦型したスクリーン（透過型スクリーン）１０を作製した。なお、本実施例では、スクリーン１０全体に光拡散粒子Ｐ１１が分布しているので、スクリーン１０自体が拡散部としての機能も有している。
本スクリーン１０を６０インチのプロジェクションテレビ装置（以下、ＰＴＶ）に実装して、ざらつき感を目視評価したところ、ざらつきの抑えられた滑らかな画像が観察された。
【００２３】
（実施例２）
実施例２は、フレネルレンズ部２１のピッチ、及び、光拡散粒子の平均粒径が異なる他は、実施例１と同様な形態である（図１のかっこ内の符号参照）。
本実施例では、光拡散粒子Ｐ２１として平均粒径１８μｍ、屈折率１．５９の球状の架橋スチレンビーズを２０重量％添加したアクリル板（屈折率１．４９）に、熱プレス方式により９５μｍピッチのフレネルレンズ部２１を入光面側に賦型したスクリーン２０を作製した。
本スクリーン２０を６０インチのＰＴＶに実装して、ざらつき感を目視評価したところ、実施例１よりも更にざらつきの抑えられた滑らかな画像が観察された。
【００２４】
プロジェクタ側で明暗を発生させる要素として、走査線が挙げられる。この走査線により生じる明暗を、よりピッチの細かいフレネルレンズを用いることにより更に細分化し、出射光の位相を多様化することができる。走査線ピッチとフレネルレンズピッチの関係を調べたところ、フレネルレンズピッチが走査線ピッチの１／３以下となる場合に、ざらつきの低減が確認された。本実施例のようにフレネルレンズピッチが１２０μｍ以下（したがって、光拡散粒子の平均粒径は、２４μｍ以下）の場合、４０インチワイド画面でのＨＤ（ハイビジョン）画像投影時の走査線ピッチに対し１／３以下の比となり、殆どのサイズの透過型スクリーンに対し、ざらつき等の低減が可能である。
【００２５】
（実施例３）
図２は、本発明の実施例３を示す図である。図２（ａ）は、斜視図を示し、図２（ｂ）は、縦断面を示している。
本実施例では、アクリル板（屈折率１．４９）を用いた熱プレス方式により入光面側に１００μｍの水平方向に伸び垂直方向において光を制御するレンチキュラーレンズ部（垂直制御レンチキュラーレンズ部）３２を持ち、出光面に１１０μｍピッチのフレネルレンズ部３１を賦型したフレネルレンズシート３３を作製した。
一方、押出し成型法によりアクリル（屈折率１．４９）を母材とし、内部に光拡散粒子Ｐ３１として平均粒径２０μｍ、屈折率１．５６の球状の架橋アクリル−スチレン共重合樹脂からなるビーズを１２重量％含有した光拡散シート３４を作製した。
前述のフレネルレンズシート３３、光拡散シート３４を組合せてスクリーン３０とし、本スクリーン３０を６０インチのＰＴＶに実装して、ざらつき感を目視評価したところ、ざらつきの抑えられた滑らかな画像が観察され、また画像の垂直方向の視野角が広くなった。
【００２６】
透過型スクリーンでは垂直方向の視野角を制御する為に、水平方向に伸びる垂直制御レンチキュラーレンズ部又は垂直制御プリズム部を設けることがあるが、これらの光学要素は、フレネルレンズ部と同様、映像光に明暗を生じさせるスリットとして作用する。これらの光学要素と光拡散粒子径の最適な大きさを実験により確認したところ、光拡散粒子の平均粒径の５倍以上の場合、ざらつきが急激に低減することが判明した。そこで、本実施例においても、レンチキュラーレンズ部３２のピッチを光拡散粒子の平均粒径の５倍以上として、ぎらつき等を抑えるようにしている。
【００２７】
（実施例４）
実施例４は、光拡散粒子が異なる他は、実施例３と同様な形態である（図２のかっこ内の符号参照）。
本実施例では、アクリル板（屈折率１．４９）を用いた熱プレス方式により入光面側に１００μｍの水平方向に伸びるレンチキュラーレンズ部４２を持ち、出光面に１１０μｍピッチのフレネルレンズ部４１を賦型したフレネルレンズシート４３を作製した。
一方、押出し成型法によりアクリル（屈折率１．４９）を母材とし、内部に第１の光拡散粒子Ｐ４１として、平均粒径２０μｍ、屈折率１．５１の球状の架橋アクリル−スチレン共重合樹脂からなるビーズを６重量％含有し、また、第２の光拡散粒子Ｐ４２として、平均粒径９μｍ、屈折率１．５９の球状の架橋スチレンビーズを８重量％含有した光拡散シート４４を作製した。なお、本実施例では、第１の光拡散粒子Ｐ４１及び第２の光拡散粒子Ｐ４２は、同じ層に混ぜられている。
前述のフレネルレンズシート４３、光拡散シート４４を組合せてスクリーン４０とし、本スクリーン４０を６０インチのＰＴＶに実装して、ざらつき感を目視評価したところ、実施例３よりも更にざらつきの抑えられた滑らかな画像が観察された。
【００２８】
本実施例では、屈折率の異なる複数種類の光拡散粒子Ｐ４１，Ｐ４２を添加している。このようにすることにより、出射光の拡散角の幅に広がりを持ち、多種の位相の光との干渉を生じることができ、過度の干渉を生じさせることによって、ギラツキの低減効果を増すことができる。
【００２９】
（実施例５）
図３は、本発明の実施例５を示す図である。図３（ａ）は、斜視図を示し、図３（ｂ）は、横断面を示している。
本実施例では、アクリル板（屈折率１．４９）を用いた熱プレス方式により入光面側に１００μｍの水平方向に伸びるレンチキュラーレンズ部５２を持ち、出光面に１１０μｍピッチのフレネルレンズ部５１を賦型したフレネルレンズシート５３を作製した。
一方、押出し成型法により出光面側に２５０μｍピッチの垂直方向に伸び水平方向において光を制御するレンチキュラーレンズ部（水平制御レンチキュラーレンズ部）５４を持つアクリル（屈折率１．４９）を母材とし、内部に第１の光拡散粒子Ｐ５１として、平均粒径２０μｍ、屈折率１．５１の球状の架橋アクリル−スチレン共重合樹脂からなるビーズを１．７重量％含有し、また、第２の光拡散粒子Ｐ５２として、平均粒径９μｍ、屈折率１．５９の球状の架橋スチレンビーズを３重量％含有した光拡散シート５５を作製した。
前述のフレネルレンズシート５３、光拡散シート５５を組合せてスクリーン５０とし、本スクリーン５０を６０インチのＰＴＶに実装して、ざらつき感を目視評価したところ、実施例３同様ざらつきの抑えられた滑らかな画像が観察された。また垂直、水平両方向の視野角が拡大され、広い範囲から画像の観察が可能となった。
【００３０】
本実施例では、レンチキュラーレンズ部５４を設けているが、このように垂直方向に伸びるレンチキュラーレンズは、水平方向のスクリーンの視野角を垂直方向の拡散特性と独立して制御することが可能である。したがって、本実施例では、より広い水平視野角を持ちながら正面での画面の明るさを保つことが可能である。
【００３１】
（実施例６）
図４は、本発明の実施例６を示す図である。図４（ａ）は、斜視図を示し、図４（ｂ）は、横断面を示している。
本実施例では、アクリル板（屈折率１．４９）を用いた熱プレス方式により入光面側に１００μｍの水平方向に伸びるレンチキュラーレンズ部６２を持ち、出光面に１１６μｍピッチのフレネルレンズ部６１を賦型したフレネルレンズシート６３を作製した。
一方、押出し成型法により入光面側に５３０μｍピッチの垂直方向に伸びる第１のレンチキュラーレンズ部６６を設けた第１のレンズ層Ｌ１を形成した。第１のレンズ層Ｌ１は、アクリルを母材とし、光拡散粒子は含んでいない。第１のレンズ層Ｌ１の出光側には、出光部に幅３２０μｍピッチの垂直方向に伸びる第２のレンチキュラーレンズ部６４と出光面側の非出光部に幅２１０μｍの外光吸収部６５を設けた第２のレンズ層Ｌ２を形成し、両面レンチキュラーレンズシート６７を作製した。なおこの第２のレンズ層Ｌ２は、アクリル（屈折率１．４９）を母材とし、内部に第１の光拡散粒子Ｐ６１として、平均粒径２０μｍ、屈折率１．５１の球状の架橋アクリル−スチレン共重合樹脂からなるビーズを２重量％含有し、また、第２の光拡散粒子Ｐ６２として、平均粒径９μｍ、屈折率１．５９の球状の架橋スチレンビーズを２重量％含有させている。
【００３２】
前述のフレネルレンズシート６３、両面レンチキュラーレンズシート６７を組合せてスクリーン６０とし、本スクリーン６０を６０インチのＰＴＶに実装して、ざらつき感を目視評価したところ、実施例３よりも更にざらつきの抑えられた滑らかな画像が観察された。また垂直、水平両方向の視野角が拡大され、広い範囲から色の均一性の良好な画像の観察が可能であり、かつ、コントラストの高い画像が得られた。
【００３３】
（実施例７）
図５は、本発明の実施例７を示す図である。図５（ａ）は、斜視図を示し、図５（ｂ）は、縦断面を示している。
本実施例では、第１の光拡散粒子Ｐ７１として平均粒径１８μｍ、屈折率１．５９の球状の架橋スチレンビーズを１０重量％添加した厚さ０．５ｍｍの第１の拡散層７３と、第２の光拡散粒子Ｐ７２として平均粒径４０μｍ、屈折率１．５３の架橋アクリル−スチレン共重合体からなるビーズを８重量％添加した厚さ１．５ｍｍの第２の拡散層７２とを有したアクリル板（屈折率１．４９）に、紫外線硬化樹脂を用いたＵＶ成型方式により、第２の拡散層７２側に９５μｍピッチのフレネルレンズ部７１を賦型したスクリーン７０を作製した。
【００３４】
光拡散粒子の平均粒径を揃えるには分級が必要である。しかし、この分級を行うと非常に多くの手間と時間が掛かり、結果としてコストが大幅に増大してしまう。そこで、本実施例では、フレネルレンズ部７１よりも観察者側の第２の拡散層７２に未分級で平均粒径が大きな光拡散粒子（第２の光拡散粒子Ｐ７２）を使用してある程度の拡散特性を得つつ、最も観察者側には分級された所定の平均粒径の光拡散粒子（第１の光拡散粒子Ｐ７１）を含んだ第１の拡散層７３を設け、第２の拡散層７２だけでは不十分な位相変化を補うことにより、ざらつきの抑えられた透過型スクリーンを、より安価に製造できるようにしている。
本スクリーン７０を６０インチのＰＴＶに実装しざらつき感を目視評価したところ、実施例１よりもざらつきの程度は強いものの、ざらつき等の抑えられた滑らかな画像が観察された。また、本実施例のスクリーン７０は、実施例１のスクリーン１０と比較して大幅なコストダウンを実現することができた。
【００３５】
（比較例１）
光拡散粒子として平均粒径１５０μｍ、屈折率１．５９の球状の架橋スチレンビーズを２０重量％添加したアクリル板（屈折率１．４９）に、熱プレス方式により９５μｍピッチのフレネルレンズ部を賦型したスクリーンを作製した。本スクリーンを６０インチのＰＴＶに実装しざらつき感を目視評価したところ、ざらつき感の強い画像が観察された。
【００３６】
（比較例２）
アクリル板（屈折率１．４９）を用いた熱プレス方式により入光面側に１００μｍの水平方向に伸びるレンチキュラーレンズ部を持ち、出光面に１１０μｍピッチのフレネルレンズ部を賦型したフレネルレンズシートを作製した。一方、押出し成型法によりアクリル（屈折率１．４９）を母材とし、内部に平均粒径６５μｍ、屈折率１．５６の球状の架橋アクリル−スチレン共重合樹脂からなるビーズを１４重量％含有した光拡散シートを作製した。前述のフレネルレンズシート、光拡散シートを組合せてスクリーンとし、本スクリーンを６０インチのＰＴＶに実装して、ざらつき感を目視評価したところ、ざらつき感の強い画像が観察された。
【００３７】
（比較例３）
アクリル板（屈折率１．４９）を用いた熱プレス方式により入光面側に１００μｍの水平方向に伸びるレンチキュラーレンズ部を持ち、出光面に１１０μｍピッチのフレネルレンズ部を賦型したフレネルレンズシートを作製した。一方、押出し成型法によりアクリル（屈折率１．４９）を母材とし、内部に平均粒径４５μｍ、屈折率１．５１の球状の架橋アクリル−スチレン共重合樹脂からなるビーズを５重量％含有し、また平均粒径５５μｍ、屈折率１．５９の球状の架橋スチレンビーズを８．５重量％含有した光拡散シート作製した。前述のフレネルレンズシート、光拡散シートを組合せスクリーンとし、本スクリーンを６０インチのＰＴＶに実装しざらつき感を目視評価したところ、ざらつき感の強い画像が観察された。
【００３８】
【発明の効果】
以上詳しく説明したように、本発明によれば、以下の効果を奏することができる。
（１）フレネルレンズ部より出光側に設けられ光拡散粒子を含む少なくとも１層の拡散部の内少なくとも１層は、前記フレネルレンズ部のピッチの１／５以下の平均粒径の光拡散粒子を含むので、フレネルレンズ部によって生じるちらつき、ぎらつき、ざらつき等を効果的に低減し、より鮮明な映像を表示することができる。
【００３９】
（２）フレネルレンズ部のピッチの１／５以下の平均粒径の光拡散粒子を含む拡散部は、透過型スクリーンに設けられた拡散部の中で、最も出光側に設けられているので、最終的に得られる映像のざらつき等を効果的に低減することができる。
【００４０】
（３）拡散部よりも入光側であってフレネルレンズ部よりも出光側に、第１の光拡散粒子よりも粒径が大きな第２の光拡散粒子を含む第２の拡散部を備えるので、分級を行う必要がある第１の光拡散粒子の使用量を抑えてコストを低減しつつ、十分にざらつき等を低減することができる。
【００４１】
（４）フレネルレンズ部のピッチは、１２０μｍ以下であるので、殆どのサイズの透過型スクリーンに対し、ぎらつき等の低減が可能である。
【００４２】
（５）フレネルレンズ部を出光側に有した光学シートの入光側に設けられた垂直拡散レンチキュラーレンズ部又は垂直拡散プリズム部のピッチは、光拡散粒子の平均粒径の５倍以上あるので、垂直方向の視野角を制御しつつ、ぎらつき等を低減することができる。
【００４３】
（６）光拡散粒子は、屈折率の異なる複数種類の粒子を有しているので、ぎらつき等の低減効果を高くすることができる。
【００４４】
（７）拡散部を有した光学シートは、水平制御レンチキュラーレンズ部又は水平制御プリズム部を有するので、広い水平視野角や正面での画面の明るさを保つことができる。
【図面の簡単な説明】
【図１】本発明の実施例１を示す図である。
【図２】本発明の実施例３を示す図である。
【図３】本発明の実施例５を示す図である。
【図４】本発明の実施例６を示す図である。
【図５】本発明の実施例７を示す図である。
【符号の説明】
１０，２０，３０，４０，５０，６０，７０  スクリーン
１１，２１，３１，４１，５１，６１，７１  フレネルレンズ部
３２，４２，５２  レンチキュラーレンズ部（垂直制御レンチキュラーレンズ部）
３３，４３，５３，６３  フレネルレンズシート
３４，４４，５５  光拡散シート
５４，６４，６６  レンチキュラーレンズ部（水平制御レンチキュラーレンズ部）
６５  外光吸収部
６７  両面レンチキュラーレンズシート
７２  第２の拡散層
７３  第１の拡散層
Ｐ１１，Ｐ２１，Ｐ３１，Ｐ４１，Ｐ４２，Ｐ５１，Ｐ５２，Ｐ６１，Ｐ６２，Ｐ７１，Ｐ７２  光拡散粒子
【図１】
2005037496.tif 000003
【図２】
2005037496.tif 000004
【図３】
2005037496.tif 000005
【図４】
2005037496.tif 000006
【図５】
2005037496.tif 000007